(57)【要約】  【課題】被接続管に容易に取付け施工ができる分岐継手を提供する。  【解決手段】継手本体１は、一端に接続口５を形成するとともに他端に外周に開口部７を有する変形防止筒部６を形成している。継手本体１に回動可能に嵌合する係止体２は複数の切り込み14を有する係止爪部15を設け、残りの部分に被接続管の接続孔から内方に突出する筒状係止部16を形成し、筒状係止部16の端縁に被接続管の接続孔の内側周縁部に当接する支持部17を形成する。係止体２に嵌合する取付け体３は接続孔の外側周縁部に対向するサドル部27を有し、サドル部27に接続孔の外側周縁部との間を水密に保持するパッキン28のはずれ防止突部30を設ける。係止体２に螺合するナット体４は、内周面に継手本体１の環状凹溝９に対向する環状凹溝35を形成し、環状凹溝９，35とに係合する保持体37によって継手本体１に回転可能に保持する。  【選択図】図１
2005140236.tif 000002
【特許請求の範囲】
【請求項１】
継手本体と、係止体と、取付け体及びナット体とを備え、
前記継手本体は、略円筒形状で一端に流入管を接続する接続口を形成するとともに他端に外周に開口部を有する変形防止筒部を形成し、かつ、外周面に環状凹溝を形成し、
前記係止体は、略円筒形状で、前記継手本体に回動可能に嵌合され、一端部外周面にナット螺合溝を形成するとともに他端の一部に前記継手本体の開口部の周方向の幅寸法と同一の幅寸法に軸方向に沿った複数の切り込みを有する係止爪部を設け、この係止爪部を形成した残りの部分に軸方向に延在して被接続管の接続孔から内方に突出する筒状係止部を形成し、この筒状係止部の端縁に沿って折曲げられ前記被接続管の接続孔の内側周縁部に当接する支持部を有し、
前記取付け体は、前記係止体の外径と略等しい内径の円筒形状で、前記係止体に嵌合され、被接続管の接続孔の径より大きくこの接続孔の外側周縁部に対向するサドル部を有し、かつ、このサドル部に前記接続孔の外側周縁部との間を水密に保持するパッキンに形成した係合溝を係合するはずれ防止突部を設け、
前記ナット体は、前記継手本体の外周に嵌合される内径を有する円環状に形成され、内周面に前記継手本体に形成した環状凹溝に対向する環状凹溝を形成するとともに内周面に前記係止体のナット螺合溝に螺合されるねじ条を有し、この環状凹溝と前記継手本体の環状凹溝とに跨って係合される保持体によって継手本体に回転可能に保持される
ことを特徴とする分岐継手。
【請求項２】
係止体の支持部は、被接続管の軸方向に延在し先端縁を突円弧状に形成したことを特徴とする請求項１記載の分岐継手。
【請求項３】
継手本体の外周面に案内片を突設するとともに係止体の内周面にこの案内片を係合してこの係止体と前記継手本体との位置関係を規制する案内溝を形成し、
この案内溝は、内端側を被接続管接続側に向う軸方向の位置規制溝部と、この位置規制溝部の外端側に連通し前記係止体の円周方向に形成した抜け外れ規制溝部と、この抜け外れ規制溝部の円周方向の中間部からこの係止体の他端縁に延在して前記係止体の一端縁に開口した案内片係合導入溝部とを有することを特徴とする請求項１または２記載の分岐継手。
【請求項４】
取付け体のサドル部には、パッキンよりもパッキンの圧縮代寸法分短い被接続管側に締め付け規制部を突設したことを特徴とする請求項１ないし３のいずれかに記載の分岐継手。
【請求項５】
係止体の筒状係止部は、係止爪部に隣接する両側先端縁をこの係止体の係止爪部よりも軸方向長さを短くした傾斜状の挿入案内部に形成したことを特徴とする請求項１ないし４のいずれかに記載の分岐継手。
【発明の詳細な説明】
【技術分野】
【０００１】
本発明は、被接続管の周面部に開口した接続口に支管を接続する排水管路用の分岐継手に関するものである。
【背景技術】
【０００２】
従来、被接続管の周面部に開口した接続口に支管を分岐接続するために用いる排水管路用の分岐継手は、被接続管に開口した接続孔に係止体としての取付け体の係止爪部を被接続管の外側から挿通し、この係止爪部を接続孔の内側周縁部に係止し、この取付け体に装着したパッキンとこの取付け体に嵌合したスペーサとをこの取付け体に螺合したナット体にて被接続管の接続孔の外側周縁部に圧接し、このパッキンとスペーサを介して取付け体とその係止爪部とにて被接続管の接続孔の内外側周縁部を挟着して取付け体を被接続管に固定し、この取付け体に継手本体を嵌挿固定する構成が採られている(例えば、特許文献１参照)。
【特許文献１】特開平８−２４７３６９号公報
【発明の開示】
【発明が解決しようとする課題】
【０００３】
解決しようとする問題点は、上記従来の分岐継手では、取付け体の先端部全周に係止爪部が形成されているため、分岐継手を被接続管に取付ける際に、係止爪部をその弾性力に抗して押し込み変形させながら被接続管の接続孔に挿通するため、管径が大きいと、取付け体の係止爪部の挿入に大きな力を必要とし、取付け体の取付け施工に問題があった。
【０００４】
本発明は上記問題点に鑑みなされたもので、被接続管に容易に取付け施工ができる分岐継手を提供するものである。
【課題を解決するための手段】
【０００５】
本発明の分岐継手は、継手本体と、係止体と、取付け体及びナット体とを備えている。前記継手本体は、略円筒形状で一端に流入管を接続する接続口を形成するとともに他端に外周に開口部を有する変形防止筒部を形成し、かつ、外周面に環状凹溝を形成している。
【０００６】
また、前記係止体は、略円筒形状で、前記継手本体に回動可能に嵌合され、一端部外周面にナット螺合溝を形成するとともに他端の一部に前記継手本体の開口部の周方向の幅寸法と同一の幅寸法に軸方向に沿った複数の切り込みを有する係止爪部を設け、この係止爪部を形成した残りの部分に軸方向に延在して被接続管の接続孔から内方に突出する筒状係止部を形成し、この筒状係止部の端縁に沿って折曲げられ前記被接続管の接続孔の内側周縁部に当接する支持部を有している。
【０００７】
さらに、前記取付け体は、前記係止体の外径と略等しい内径の円筒形状で、前記係止体に嵌合され、被接続管の接続孔の径より大きくこの接続孔の外側周縁部に対向するサドル部を有し、かつ、このサドル部に前記接続孔の外側周縁部との間を水密に保持するパッキンに形成した係合溝を係合するはずれ防止突部を設けている。
【０００８】
また、前記ナット体は、前記継手本体の外周に嵌合される内径を有する円環状に形成され、内周面に前記継手本体に形成した環状凹溝に対向する環状凹溝を形成するとともに内周面に前記係止体のナット螺合溝に螺合されるねじ条を有し、この環状凹溝と前記継手本体の環状凹溝とに跨って係合される保持体によって継手本体に回転可能に保持される。
【０００９】
そして、被接続管の周面にホールソーなどで分岐支管を接続する接続孔を開口し、また、分岐継手の係止体の係止爪部を継手本体の開口部に臨ませた状態とし、この分岐継手の軸心を接続孔の軸心方向に対して傾斜させた状態で、係止体の支持部を接続孔に外側から挿入して接続孔の内側周縁部に引っ掛け、この分岐継手の軸心が接続孔の軸心に対して一致するように分岐継手を起すと係止体の係止爪部は接続孔の外側周縁に接触し、係止爪部は接続孔の周縁部に接触しながら軸心側に弾性変形され、係止爪部は接続孔に挿通されて内側周縁部に係止されて抜け止めされる。この係止爪部が弾性変形しながら接続孔の内側周縁部に係止されるとき、係止爪部は継手本体の変形防止筒部に接触することなく、継手本体の開口部において軸心側に弾性変形し、接続孔に係止される。
【００１０】
次いで、継手本体を回動し、変形防止筒部を係止体の係止爪部の位置に合わせると、係止爪部は軸心方向への変形が防止され、係止爪部が接続孔の内側周縁部から外れることがない。
【００１１】
この状態で、ナット体を係止体に締め付け螺合すると、係止体の係止爪部が接続孔の内側周縁に係止した状態で取付け体は被接続管の外周面に接近し、パッキンが被接続管の接続孔の外側周縁部に圧接して液密に保持され、分岐継手は被接続管に固定される。
【００１２】
次いで、継手本体に支管を差込接続する。
【００１３】
また、係止体の支持部は、被接続管の軸方向に延在し先端縁を突円弧状に形成する。
【００１４】
そして、分岐継手の係止体の係止爪部を被接続管の接続孔に挿入係止するときに、支持部は接続孔の周縁部に突き当たることなく容易に挿入できる。
【００１５】
さらに、継手本体の外周面に案内片を突設するとともに係止体の内周面にこの案内片を係合してこの係止体と前記継手本体との位置関係を規制する案内溝を形成し、この案内溝は、内端側を被接続管接続側に向う軸方向の位置規制溝部と、この位置規制溝部の外端側に連通し前記係止体の円周方向に形成した抜け外れ規制溝部と、この抜け外れ規制溝部の円周方向の中間部からこの係止体の他端縁に延在して前記係止体の一端縁に開口した案内片係合導入溝部とを有するものである。
【００１６】
そして、組み立てに際しては、継手本体の案内片を係止体の案内溝の案内片係合導入溝部から係合し、案内片が抜け外れ規制溝部に係合した状態で継手本体を回動させ、変形防止筒部を係止体の係止爪部の位置に合わせると、案内片は位置規制溝部の位置に至り、この状態でナット体を締め付けると、案内片は位置規制溝部に係合し、継手本体と係止体とは互いに位置合わせされ、変形防止筒部は係止体の係止爪部の内周に位置される。
【００１７】
また、取付け体のサドル部肉は、パッキンよりもパッキンの圧縮代寸法分短い被接続管側に締め付け規制部を突設したものである。
【００１８】
そして、ナット体の締め付け螺合によりパッキンが締め付けられ、パッキンの圧縮率が適度となった状態で取付け体の締め付け規制部が被接続管の外周面に接触し、それ以上パッキンは締め付けられないので、パッキンが過度に締め付けられていびつの状態で液密が損なわれることがない。
【００１９】
さらに、係止体の筒状係止部は、係止爪部に隣接する両側先端縁をこの係止体の係止爪部よりも軸方向長さを短くした傾斜状の挿入案内部に形成したものである。
【００２０】
そして、係止体の支持部を被接続管の接続孔に外側から挿入して係止爪部を接続孔に挿通して内側周縁部に係止するとき、取付け体の位置が被接続管側に位置されず、支持部が接続孔の内側周縁部に確実に係止されていないときでも、係止体の筒状係止部は傾斜状の挿入案内部が接続孔の縁部によって押し付けられ、係止体の支持部が接続孔の内側周縁部に向って案内され、この係止爪部が弾性変形しながら接続孔の内側周縁部に係止される。
【発明の効果】
【００２１】
本発明の分岐継手は、係止体の支持部を被接続管の接続孔に外側から挿入して接続孔の内側周縁部に引っ掛け、この分岐継手の軸心が接続孔の軸心に対して一致するように分岐継手を起すようにして、係止爪部は弾性変形で接続孔に挿通されて内側周縁部に係止されて抜け止めされ、大きな力を必要とせずに容易に分岐継手本体を被接続管の接続孔に取付けることができ、また、継手本体の変形防止筒部を係止体の係止爪部の位置に合わせると、係止爪部は軸心方向への変形が防止されて、係止爪部が接続孔の内側周縁部から外れることがない。
【００２２】
また、分岐継手の係止体の係止爪部を被接続管の接続孔に挿入係止するときに、支持部は接続孔の周縁部に突き当たることなく容易に挿入できるので、施工作業性が向上する。
【００２３】
さらに、組み立てに際しては、継手本体と係止体とは互いに位置合わせされ、変形防止筒部は係止体の係止爪部の内周に位置される。
【００２４】
また、パッキンは過剰に締め付けられないので、パッキンが過度に締め付けられていびつの状態で液密が損なわれることがない。
【００２５】
さらに、係止体の筒状係止部は傾斜状の挿入案内部が接続孔の縁部によって押し付けられ、係止体の支持部が接続孔の内側周縁部に向って案内されので、この係止爪部が弾性変形しながら接続孔の内側周縁部に確実に係止される。
【発明を実施するための最良の形態】
【００２６】
本発明の分岐継手の一実施の形態を図面に基づいて説明する。
【００２７】
分岐継手は、図１に示すように、継手本体１と、この継手本体１に嵌合される係止体２と、この係止体２に嵌合される取付け体３及び前記係止体２に螺合されるナット体４とを備えている。
【００２８】
前記継手本体１は、図２乃至図４に示すように、略円筒形状で一端に流入管を接続する接続口５を形成するとともに他端は変形防止筒部６に形成され、この変形防止筒部６には外周と他端縁部とに開口した開口部７が例えば、円周の３分の１の範囲に形成されている。この変形防止筒部６の端縁は被接続管の外周面に沿った湾曲縁８に形成されている。また、この継手本体１の外周面には環状凹溝９が形成されている。
【００２９】
また、前記継手本体１の接続口５にはシーリング材10を嵌着する環状凹溝11が形成されている。
【００３０】
さらに、図４に示すように、前記継手本体１の外周面に案内片12が突設されている。
【００３１】
また、前記係止体２は、図５乃至図８に示すように、略円筒形状で、前記継手本体１に回動可能に嵌合されるもので、一端部外周面にナット螺合溝13を形成するとともに他端の一部に、例えば、円周の３分の１の範囲に前記継手本体１の開口部７の周方向の幅寸法と同一の幅寸法に軸方向に沿った複数の切り込み14を有する係止爪部15が形成されている。
【００３２】
さらに、この係止体２の前記係止爪部15を形成した残りの部分に軸方向に延在して被接続管の接続孔から内方に突出する筒状係止部16が形成され、この筒状係止部16は、係止爪部15に隣接する両側先端縁を係止爪部15よりも軸方向長さを短くした傾斜状の挿入案内部16aに形成されている。この係止体２の係止爪部15と筒状係止部16との端縁は被接続管の内周面に沿った湾曲縁に形成されている。
【００３３】
この筒状係止部16には、その端縁に沿って外側に折曲げられ前記被接続管の接続孔の内側周縁部に当接する支持部17が形成され、この支持部17は、被接続管の軸方向に延在し先端縁は突円弧状に形成されている。
【００３４】
また、この係止体２の内周面に、前記継手本体１の案内片12を係合してこの係止体２と前記継手本体１との位置関係を規制する案内溝18が形成されている。この案内溝18は、内端側を被接続管接続側に向う軸方向の位置規制溝部19と、この位置規制溝部19の外端側に連通しこの係止体２の円周方向に形成した抜け外れ規制溝部20と、この抜け外れ規制溝部20の円周方向の中間部から軸方向に延在してこの係止体２の一端縁に開口した案内片係合導入溝部21とを有するものである。
【００３５】
さらに、この係止体２の内周面に前記継手本体１との液密を保持するОリング22の嵌着溝23が形成され、また、この係止体２の外周面に前記取付け体３との液密を保持するОリング24の嵌着溝25が形成されている。
【００３６】
次に、前記取付け体３は、図９及び図10に示すように、前記係止体２の外径と略等しい内径の円筒形状で、前記係止体２に嵌合される。この取付け体３は、被接続管の接続孔の径より大きくかつこの接続孔の外側周縁部に対向するサドル部27が形成され、このサドル部27は被接続管の外周面に沿った湾曲縁に形成されている。
【００３７】
さらに、取付け体３のサドル部27には、パッキン28よりもパッキン28の圧縮代寸法分短い締め付け規制部38が被接続管側に突設されている。
【００３８】
このサドル部27に前記被接続管の接続孔の外側周縁部との間を水密に保持する環状パッキン28に形成した係合溝29を係合するはずれ防止突部30が環状に形成されている。
【００３９】
また、このパッキン28の被接続管の外周面に対向する面には環状凹溝32が形成されている。さらに、このパッキン28には前記サドル部27に形成した係止孔部33に挿通係止される係止鈎片34が設けられている。
【００４０】
また、前記ナット体４は、図１１に示すように、前記継手本体１の外周に嵌合される内径を有する円環状に形成され、内周面には前記継手本体１に形成した環状凹溝９に対向する環状凹溝35が形成され、また、このナット体４の内周面に前記係止体２のナット螺合溝13に螺合されるねじ条36を有し、この環状凹溝35と前記継手本体１の環状凹溝９とに跨って係合される円環部の一部を切り欠いたＣ字状の保持体37によって継手本体１に回転可能に保持される。
【００４１】
さらに、前記係止体２の外周面には一端側に開放された係合溝39がこの係止体２の軸方向に形成され、この係合溝39に係合される係合片39aが前記取付け体３の内周面の一端側にこの取付け体３の軸方向に突設され、この係合片39aを前記係合溝39に係合することにより、前記係止体２と前記取付け体３との位置が合わせられる。
【００４２】
被接続管は、例えば、図１２に示すように、排水桝40の立ち上がり管部41で、この立ち上がり管部41には流入側の支管42を分岐接続する接続孔43が周面に開口されている。なお、前記立ち上がり管部41の下側位置に流出側排水管を接続する接続部44が形成され、下端部には泥溜部46が設けられるとともに上端部には受け枠47が設けられ、この受け枠47に地表面と同一面に設置される蓋体48が開閉自在に設けられている。
【００４３】
次に、この実施の形態の作用を説明する。
【００４４】
例えば、被接続管のとしての排水桝40の立ち上がり管部41の周面にホールソーなどで分岐支管42を接続する接続孔43を開口する。
【００４５】
また、図１３(a)に示すように、分岐継手の係止体２の係止爪部15を継手本体１の開口部７に臨ませた状態とし、この分岐継手の軸心を接続孔43の軸心方向に対して傾斜させた状態で、係止体２の支持部17を接続孔43に外側から挿入して接続孔43の内側周縁部に引っ掛ける。
【００４６】
この係止体２の支持部17を接続孔43の内側周縁部に引っ掛けた状態で、この分岐継手の軸心が接続孔43の軸心に対して一致するように分岐継手を起すと、図１３(b)に示すように、係止体２の係止爪部15は接続孔43の外側周縁に接触し、さらに、分岐継手を引き起すと、図１３(c)に示すように、係止爪部15は接続孔43の周縁部に接触しながら軸心側に弾性変形され、係止爪部15は接続孔43に挿通されて内側周縁部に係止されて抜け止めされる。
【００４７】
この係止爪部15が弾性変形しながら接続孔43の内側周縁部に係止されるとき、係止爪部15は継手本体１の変形防止筒部６に接触することなく、継手本体１の開口部７において軸心側に弾性変形し、接続孔43に容易にかつ確実に係止される。
【００４８】
次いで、図１３(d)に示すように、継手本体１を例えば180°円周方向に回動すると、図１３(e)に示すように、変形防止筒部６が係止体２の係止爪部15の位置に合わせられ、係止爪部15は係止体２の軸心方向への変形が防止され、係止爪部15が接続孔43の内側周縁部から外れることがない。
【００４９】
この状態で、ナット体４を係止体２に締め付け螺合すると、図１３(f)に示すように、係止体２は係止爪部15が接続孔43の内側周縁に係止した状態で取付け体３は立ち上がり管部41の外周面に接近し、パッキン28が立ち上がり管部41の接続孔43の外側周縁部に圧接して液密に保持され、分岐継手は被接続管としての立ち上がり管部41に固定される。
【００５０】
次いで、この状態で、継手本体１の接続口５に支管42を進退自在に差込み、シーリング材10によって適宜位置で液密に接続する。
【００５１】
また、係止体２の支持部17は、立ち上がり管部41の軸方向に延在し先端縁を突円弧状に形成することによって、分岐継手の係止体２の係止爪部15を立ち上がり管部41の接続孔43に挿入係止するときに、支持部17は接続孔43の周縁部に突き当たることなく容易に挿入できる。
【００５２】
さらに、組み立てに際しては、継手本体１の案内片12を係止体２の案内片係合導入溝部21から係合し、案内片12が抜け外れ規制溝部20に係合した状態で継手本体１を回動させ、変形防止筒部６を係止体２の係止爪部15の位置に合わせると、案内片12は位置規制溝部19の位置に至り、この状態でナット体４を締め付けると、案内片12は位置規制溝部19に係合し、継手本体１と係止体２とは互いに位置合わせされ、変形防止筒部６は係止体２の係止爪部15の内周に位置され、係止爪部15は弾性変形して接続孔43から外れることがないので、分岐継手が外れることがない。
【００５３】
また、ナット体４の締め付け螺合によりパッキン28が締め付けられ、パッキン28の圧縮率が適度となった状態で取付け体３の締め付け規制部38が立ち上がり管部41の外周面に接触するように、締め付け規制部38の突出量を設定すると、パッキン28は過度に締め付けられることなく適度の締め付けとなり、パッキン28が過度に締め付けられていびつの状態で液密が損なわれることがない。
【００５４】
さらに、係止体２の筒状係止部16は、係止爪部15に隣接する両側先端縁をこの係止体２の係止爪部15よりも軸方向長さを短くした傾斜状の挿入案内部16aに形成したので、係止体２の支持部17を接続孔43に外側から挿入して係止爪部15を接続孔43に挿通して内側周縁部に係止するとき、取付け体３の位置が被接続管としての立ち上がり管部41側に位置されず、支持部17が接続孔43の内側周縁部に確実に係止されていないときでも、挿入案内部16aが案内となって、係止爪部15が接続孔43の外側に位置されないので、係止爪部15が外向きに変形して折れることがなく、この係止爪部15は弾性変形しながら接続孔43の内側周縁部に確実に係止される。
【００５５】
前記実施の形態では、継手本体１の接続口５に支管42を進退自在に差込み、シーリング材10によって適宜位置で液密に接続する構成としたが、継手本体１の接続口５は接着受口とすることもできる。
【図面の簡単な説明】
【００５６】
【図１】本発明の一実施の形態の分岐継手の縦断面図である。
【図２】同上分岐継手の継手本体の平面図である。
【図３】同上継手本体の縦断面図である。
【図４】同上継手本体の底面図である。
【図５】同上分岐継手の係止体の縦断面図である。
【図６】同上係止体の左側面図である。
【図７】同上係止体の正面図である。
【図８】同上係止体の平面図である。
【図９】同上分岐継手の取付け体の平面図である。
【図１０】同上取付け体の縦断面図である。
【図１１】同上分岐継手のナット体の縦断面図である。
【図１２】同上分岐継手を取付けた排水桝の縦断面図である。
【図１３】(a)〜(f)は同上分岐継手の取付け工程を示す縦断面図である。
【符号の説明】
【００５７】
１    継手本体
２    係止体
３    取付け体
４    ナット体
５    継手本体１の接続口
６    変形防止筒部
７    開口部
９    環状凹溝
12    案内片
13    ナット螺合溝
14    切り込み
15    係止爪部
16    筒状係止部
16a   挿入案内部
17    支持部
18    案内溝
19    位置規制溝部
20    抜け外れ規制溝部
21    案内片係合導入溝部
27    サドル部
28    パッキン
29    係合溝
30    はずれ防止突部
32    環状凹溝
35    環状凹溝
36    ねじ条
37    保持体
38    締め付け規制部
40    被接続管としての排水桝
43    接続孔
【図１】
2005140236.tif 000003
【図２】
2005140236.tif 000004
【図３】
2005140236.tif 000005
【図４】
2005140236.tif 000006
【図５】
2005140236.tif 000007
【図６】
2005140236.tif 000008
【図７】
2005140236.tif 000009
【図８】
2005140236.tif 000010
【図９】
2005140236.tif 000011
【図１０】
2005140236.tif 000012
【図１１】
2005140236.tif 000013
【図１２】
2005140236.tif 000014
【図１３】
2005140236.tif 000015